【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
第１のロギング速度を含む格納されたロギングパラメータのセットを有する第１のモードに従って、ルータにおいて第１の診断情報をロギングするステップと、
前記ルータの動作上の問題を検出するステップと、
前記動作上の問題の検出に応答して、第２の診断情報を格納されたロギングパラメータのセットを有する第２のモードに従ってロギングするステップであって、前記第２のモードの第２のロギング速度は前記第１のモードの前記第１のロギング速度より大きく、格納されたロギングパラメータの少なくとも１つのセットは動作上の問題に応じて自動的に変更される、ステップと、
を含む、方法。
【請求項２】
前記第２の診断情報は前記第１の診断情報とは異なる、請求項１に記載の方法。
【請求項３】
前記第２の診断情報は、ファイアウォールログ、ＬＡＮ（ローカルエリアネットワーク）ＤＨＣＰ（ダイナミックホストコンフィギュレーションプロトコル）トランザクション、インターフェース設定ログ、または、ＩＧＭＰ（インターネットゲートウェイ管理プロトコル）ログ、の内の少なくとも１つを含む、請求項１に記載の方法。
【請求項４】
前記第１の診断情報は、ファイアウォールログ、ＬＡＮ  ＤＨＣＰトランザクション、インターフェース設定ログ、またはＩＧＭＰログの内の少なくとも１つを含まない、請求項３に記載の方法。
【請求項５】
前記ロギングされた第２の診断情報に基づき前記動作上の問題を補修するステップをさらに含む、請求項１に記載の方法。
【請求項６】
格納されたロギングパラメータのセットを有する第１のモードに従ってルータにおいて第１の診断情報をロギングするように、かつ、前記ルータ内の動作上の問題を検出するように構成されるコントローラと、
前記動作上の問題の指標を送信するように、かつ、格納されたロギングパラメータのセットを有する第２のモードに従って前記ルータにおいて第２の診断情報をロギングする命令をリモートで受信するように構成される通信インターフェースと、
を備え、
前記コントローラは、前記命令の受信に応答して前記第２のモードに従って前記第２の診断情報をロギングするようにさらに構成され、前記第２の診断情報が前記第１の診断情報よりも多量のデータから成り、前記コントローラは、格納されたロギングパラメータの少なくとも１つのセットを前記動作上の問題に応じて変更する、装置。
【請求項７】
前記コントローラは、前記第１のモードに従って前記第１の診断情報をロギングするロギング速度よりも大きいロギング速度で、前記第２のモードに従って前記第２の診断情報をロギングするようにさらに構成される、請求項６に記載の装置。
【請求項８】
前記コントローラは、前記第２の診断情報を送信することを前記通信インターフェースに指示するようにさらに構成され、前記コントローラは、前記通信インターフェースを介してリモートで受信された補修命令に従って前記ルータを補修するようにさらに構成される、請求項６に記載の装置。
【請求項９】
前記第１のモードは、前記コントローラによる前記第１の診断情報のロギングを制限する第１の最大書込み回数を含み、前記第２のモードは、前記コントローラによる前記第２の診断情報のロギングを制限する第２の最大書込み回数を含み、前記コントローラは、前記補修命令に基づき、前記第１の最大書込み回数または前記第２の最大書込み回数の内の少なくとも１つを変更するようにさらに構成される、請求項８に記載の装置。
【請求項１０】
前記第２の診断情報は前記第１の診断情報とは異なり、前記動作上の問題が、前記ルータのフリーズ、または、前記フリーズに応答して実行されるリブートの内の少なくとも１つである、請求項８に記載の装置。
【請求項１１】
ルータにおける動作上の問題の指標をリモートで受信するように構成される通信インターフェースと、
ロギングモードを第１のモードから第２のモードに切り替えることを前記ルータに指示する命令を、前記ルータに送信することを前記通信インターフェースに指示するように構成され、各モードが格納されたロギングパラメータのセットを有するコントローラと、を備え、
第１の診断情報が、前記第１のモードに従って前記ルータにおいてロギングされ、第２の診断情報が、前記第２のモードに従って前記ルータにおいてロギングされ、前記第２の診断情報は、前記第１の診断情報よりも多量のデータから成り、前記コントローラは、格納されたロギングパラメータの少なくとも１つのセットを前記動作上の問題に応じて変更する、システム。
【請求項１２】
前記第２の診断情報は、前記第１の診断情報が前記第１のモードに従って前記ルータにおいてロギングされるロギング速度よりも大きいロギング速度で、前記第２のモードに従って前記ルータにおいてロギングされる、請求項１１に記載のシステム。
【請求項１３】
前記コントローラは、前記第２の診断情報に基づき、前記第２の診断情報が前記第２のモードに従ってロギングされるロギング速度、または、前記第１の診断情報が前記第１のモードに従ってロギングされるロギング速度の内の少なくとも１つを変更することを前記ルータに指示する命令を、補修命令に加えるようにさらに構成される、請求項１１に記載のシステム。
【請求項１４】
前記第１のモードは、前記第１の診断情報のロギングを制限する第１の最大書込み回数を含み、前記第２のモードは、前記第２の診断情報のロギングを制限する第２の最大書込み回数を含み、前記コントローラは、前記第２の診断情報に基づき、前記第１の最大書込み回数または前記第２の最大書込み回数の内の少なくとも１つを変更することを前記ルータに指示する命令を、前記補修命令に加えるようにさらに構成される、請求項１１に記載のシステム。
【請求項１５】
前記第２の診断情報が、前記第１の診断情報とは異なり、前記動作上の問題が、前記ルータのフリーズ、または、前記フリーズに応答して実行されるリブートの内の少なくとも１つである、請求項１１に記載のシステム。
【手続補正２】
【補正対象書類名】明細書
【補正対象項目名】００５８
【補正方法】変更
【補正の内容】
【００５８】
診断情報をロギングするためのシステム、方法、および装置についての好適な実施形態が記載されたが（例示することが意図されるのであり、制限することが意図されるのではない）、当業者により上記の教示に照らして修正および変更を成すことが可能であることに留意されたい。従って、理解すべきことは、開示される本発明の特定の実施形態において変更が可能であり、その変更が添付の付記により概説されるような発明の範囲内にあることである。前述の内容が本発明の種々の実施形態を対象とする一方、本発明の他のさらなる実施形態をその基本的な範囲から逸脱することなく考案することが可能である。
本発明は以下の態様を含む。
（付記１）
第１のロギング速度を有する第１のモードに従って、ルータにおいて第１の診断情報をロギングするステップと、
前記ルータの動作上の問題を検出するステップと、
前記動作上の問題の検出に応答して、第２の診断情報を第２のモードに従ってロギングするステップであって、前記第２のモードの第２のロギング速度は前記第１のモードの第１のロギング速度より大きい、ステップと、
を含む、方法。
（付記２）
前記動作上の問題は、前記ルータのフリーズ、または、前記フリーズに応答して実行されるリブートの内の少なくとも１つである、付記１に記載の方法。
（付記３）
前記第２の診断情報は前記第１の診断情報とは異なる、付記１に記載の方法。
（付記４）
前記第２の診断情報は、ファイアウォールログ、ＬＡＮ（ローカルエリアネットワーク）ＤＨＣＰ（ダイナミックコンフィギュレーションプロトコル）トランザクション、インターフェース設定ログ、または、ＩＧＭＰ（インターネットゲートウェイ管理プロトコル）ログ、の内の少なくとも１つを含む、付記３に記載の方法。
（付記５）
前記第１の診断情報は、ファイアウォールログ、ＬＡＮ  ＤＨＣＰトランザクション、インターフェース設定ログ、またはＩＧＭＰログの内の少なくとも１つを含まない、付記４に記載の方法。
（付記６）
前記ロギングされた第２の診断情報に基づき前記動作上の問題を補修するステップをさらに含む、付記１に記載の方法。
（付記７）
前記補修するステップは、前記ロギングされた第２の診断情報に基づき前記第１のロギング速度または前記第２のロギング速度の内の少なくとも１つを変更するステップをさらに含む、付記６に記載の方法。
（付記８）
前記第１のモードは、前記第１の診断情報のロギングを制限する第１の最大書込み回数を含み、前記第２のモードは、前記第２の診断情報のロギングを制限する第２の最大書込み回数を含み、前記補修するステップは、前記ロギングされた第２の診断情報に基づき、前記第１の最大書込み回数または前記第２の最大書込み回数の内の少なくとも１つを変更するステップをさらに含む、付記６に記載の方法。
（付記９）
第１のモードに従ってルータにおいて第１の診断情報をロギングするように、かつ、前記ルータ内の動作上の問題を検出するように構成されるコントローラと、
前記動作上の問題の指標を送信するように、かつ、第２のモードに従って前記ルータにおいて第２の診断情報をロギングする命令をリモートで受信するように構成される通信インターフェースと、
を備え、
前記コントローラは、前記命令の受信に応答して前記第２のモードに従って前記第２の診断情報をロギングするように構成され、前記第２の診断情報が前記第１の診断情報よりも多量のデータから成る、装置。
（付記１０）
前記コントローラは、前記第１のモードに従って前記第１の診断情報をロギングするロギング速度よりも大きいロギング速度で、前記第２のモードに従って前記第２の診断情報をロギングするようにさらに構成される、付記９に記載の装置。
（付記１１）
前記コントローラは、前記第２の診断情報を送信することを前記通信インターフェースに指示するようにさらに構成され、前記コントローラは、前記通信インターフェースを介してリモートで受信された補修命令に従って前記ルータを補修するようにさらに構成される、付記９に記載の装置。
（付記１２）
前記コントローラは、前記補修命令に基づいて、前記第２の診断情報が前記第２のモードに従ってロギングされるロギング速度、または、前記第１の診断情報が前記第１のモードに従ってロギングされるロギング速度の内の少なくとも１つを変更するようにさらに構成される、付記１１に記載の装置。
（付記１３）
前記第１のモードは、前記コントローラによる前記第１の診断情報のロギングを制限する第１の最大書込み回数を含み、前記第２のモードは、前記コントローラによる前記第２の診断情報のロギングを制限する第２の最大書込み回数を含み、前記コントローラは、前記補修命令に基づき、前記第１の最大書込み回数または前記第２の最大書込み回数の内の少なくとも１つを変更するようにさらに構成される、付記１１に記載の装置。
（付記１４）
前記第２の診断情報は前記第１の診断情報とは異なり、前記動作上の問題が、前記ルータのフリーズ、または、前記フリーズに応答して実行されるリブートの内の少なくとも１つである、付記９に記載の装置。
（付記１５）
ルータにおける動作上の問題の指標をリモートで受信するように構成される通信インターフェースと、
ロギングモードを第１のモードから第２のモードに切り替えることを前記ルータに指示する命令を、前記ルータに送信することを前記通信インターフェースに指示するように構成されるコントローラと、を備え、
第１の診断情報が、前記第１のモードに従って前記ルータにおいてロギングされ、第２の診断情報が、前記第２のモードに従って前記ルータにおいてロギングされ、前記第２の診断情報は、前記第１の診断情報よりも多量のデータから成る、システム。
（付記１６）
前記第２の診断情報は、前記第１の診断情報が前記第１のモードに従って前記ルータにおいてロギングされるロギング速度よりも大きいロギング速度で、前記第２のモードに従って前記ルータにおいてロギングされる、付記１５に記載のシステム。
（付記１７）
前記通信インターフェースは、前記第２の診断情報を前記ルータからリモートで受信するように構成され、
前記システムは、前記第２の診断情報に基づき補修命令を判定するように、かつ、前記補修命令を前記ルータにリモートで送信することを前記通信インターフェースに指示するように構成される補修モジュールをさらに備える、付記１５に記載のシステム。
（付記１８）
前記コントローラは、前記第２の診断情報に基づき、前記第２の診断情報が前記第２のモードに従ってロギングされるロギング速度、または、前記第１の診断情報が前記第１のモードに従ってロギングされるロギング速度の内の少なくとも１つを変更することを前記ルータに指示する命令を、前記補修命令に加えるようにさらに構成される、付記１７に記載のシステム。
（付記１９）
前記第１のモードは、前記第１の診断情報のロギングを制限する第１の最大書込み回数を含み、前記第２のモードは、前記第２の診断情報のロギングを制限する第２の最大書込み回数を含み、前記コントローラは、前記第２の診断情報に基づき、前記第１の最大書込み回数または前記第２の最大書込み回数の内の少なくとも１つを変更することを前記ルータに指示する命令を、前記補修命令に加えるようにさらに構成される、付記１７に記載のシステム。
（付記２０）
前記第２の診断情報が、前記第１の診断情報とは異なり、前記動作上の問題が、前記ルータのフリーズ、または、前記フリーズに応答して実行されるリブートの内の少なくとも１つである、付記１５に記載のシステム。